(57)【特許請求の範囲】
【請求項１】
少なくとも温水洗浄手段を有する本体と，該本体に設けた本体スイッチパネルと，上記本体と別個に設けたリモコンとよりなり，かつ，上記各手段は上記本体スイッチパネル又はリモコンにより操作できるよう構成した人体局部洗浄装置において，
上記本体スイッチパネルには，水温の設定状態を表示する水温表示発光素子を配設してあり，かつ，該水温表示発光素子は，上記リモコンからのリモコン信号を上記本体が受信した際に表示状態を変化させる受信表示発光素子を兼ねることを特徴とする人体局部洗浄装置。
【請求項２】
請求項１において，上記受信表示発光素子は，上記リモコン信号を受信した際に所定時間だけ発光状態を反転させるよう構成してあることを特徴とする人体局部洗浄装置。
【請求項３】
少なくとも温水洗浄手段を有する本体と，該本体に設けた本体スイッチパネルと，上記本体と別個に設けたリモコンとよりなり，かつ，上記各手段は上記本体スイッチパネル又はリモコンにより操作できるよう構成した人体局部洗浄装置において，上記本体スイッチパネルには，上記リモコンからのリモコン信号を上記本体が受信した際に表示状態を変化させる受信表示発光素子を配設してあり，かつ，上記受信表示発光素子の表示状態の変化パターンは，受信したリモコン信号の種類に応じて変更するよう構成してあることを特徴とする人体局部洗浄装置。
【請求項４】
請求項３において，上記本体スイッチパネルには，水温の設定状態を表示する水温表示発光素子を配設してあり，かつ，該水温表示発光素子は，上記受信表示発光素子をも兼ねていることを特徴とする人体局部洗浄装置。
【請求項５】
請求項３又は４において，上記受信表示発光素子は，上記リモコン信号を受信した際に所定時間だけ発光状態を反転させるよう構成してあることを特徴とする人体局部洗浄装置。
【発明の詳細な説明】
【０００１】
【技術分野】
本発明は，リモコンにより操作可能なリモコンを備えた人体局部洗浄装置に関する。
【０００２】
【従来技術】
従来より，図９に示すごとく，リモコンを備えた人体局部洗浄装置９がある。この人体局部洗浄装置９は，同図に示すごとく，少なくとも洗浄ノズル６１，６２等よりなる温水洗浄手段６と温風乾燥手段（図示略）とを有する本体１０を主体として構成されている。本体１０には，温水洗浄手段６，温風乾燥手段等を操作するための本体スイッチパネル９５を側部に設けてある。なお，本体１０は，便座８１，便蓋８２をも備え，陶器製の便器８３の上方に配設される。
【０００３】
また，人体局部洗浄装置９の近傍，例えばトイレ使用者の手が届くトイレ室の壁には，リモコン４が配設される。このリモコン４には，本体スイッチパネル９５に設けたスイッチ類のうち，少なくとも通常用いるものと同等の機能を果たすスイッチ類が設けられている。そして，リモコン４のスイッチを操作した場合には，リモコン信号が本体１０の受光部４９に送られ，各手段が作動するように構成されている。
【０００４】
つまり，人体局部洗浄装置９は，本体スイッチパネル９５又はリモコン４のいずれかを操作することによって上記温水洗浄手段６等の各手段を操作できる。それ故，人体局部洗浄装置９を使用する際には，本体スイッチパネル９５に触れることなく，楽な姿勢でリモコン４を操作することにより，上記各手段の制御を容易に行うことができる。
【０００５】
【解決しようとする課題】
ところで，上記従来の人体局部洗浄装置９は，リモコン４からのリモコン信号が本体１０に受信された場合には，これがわかるようにブザー音が発せられるように構成されている。
しかしながら，このブザー音は，トイレ室外にも聞こえる場合があるため，トイレ室の周囲の環境に影響を与える場合がある。
【０００６】
さらに，人体局部洗浄装置９を使用する人によっては，上記ブザー音を嫌う人もある。
一方，上記ブザー音に代えて，リモコン信号の受信を確認するための別の手段が得られれば，ブザー装置が必要なくなり，人体局部洗浄装置９の製造コストを引き下げることもできる。
【０００７】
本発明は，かかる従来の問題点に鑑みてなされたもので，ブザー音を発することなくリモコン信号の受信を確認できる，人体局部洗浄装置を提供しようとするものである。
【０００８】
【課題の解決手段】
請求項１の発明は，少なくとも温水洗浄手段を有する本体と，該本体に設けた本体スイッチパネルと，上記本体と別個に設けたリモコンとよりなり，かつ，上記各手段は上記本体スイッチパネル又はリモコンにより操作できるよう構成した人体局部洗浄装置において，
上記本体スイッチパネルには，水温の設定状態を表示する水温表示発光素子を配設してあり，かつ，該水温表示発光素子は，上記リモコンからのリモコン信号を上記本体が受信した際に表示状態を変化させる受信表示発光素子を兼ねることを特徴とする人体局部洗浄装置にある。
【０００９】
本発明において最も注目すべきことは，上記本体スイッチパネルには，上記受信表示発光素子を配設したことである。
上記受信表示発光素子としては，いわゆる発光ダイオード（ＬＥＤ），小型ランプ等を用いることができる。
【００１０】
また，上記受信表示発光素子の表示状態としては，光を発している点灯状態（オン）と光を発していない消灯状態（オフ），あるいは，オンとオフとをくり返す点滅状態等がある。そしてこの表示状態は，上記リモコン信号の受信がなされた場合に変化する。この変化の態様としては，例えばオン→オフ，オン→点滅，オフ→オン，オフ→点滅等，種々の態様をとることができる。
【００１１】
また，上記本体が有する温水洗浄手段は，温水を噴射する洗浄ノズル等を備えたものであって，上記本体スイッチパネル又はリモコンの操作によって適宜温水を噴射するよう構成されている。また，上記温風乾燥手段は，上記温水洗浄手段による洗浄後に乾燥用の温風を吹き出す手段であって，上記と同様に本体スイッチパネル又はリモコンの操作によって適宜作動するよう構成されている。なお，本体には，これら温水洗浄手段，温風乾燥手段以外の種々の手段を設けることも可能である。
【００１２】
次に，本発明の作用につき説明する。
本発明のリモコン操作型の人体局部洗浄装置においては，上記本体スイッチパネルに上記受信表示発光素子を設けてある。そのため，トイレ使用者がリモコンを用いて人体局部洗浄装置の各手段を操作しようとする場合には，リモコン信号が確実に本体に受信されたことを，上記受信表示発光素子によって容易に確認することができる。
【００１３】
即ち，リモコン信号が本体側に受信された際には，本体スイッチパネルにおける受信表示発光素子の表示状態が変化する。そのため，トイレ使用者は，リモコン操作が確実に行われたことを，目視により，瞬時に，確実に確認することができる。
そのため，従来のようなリモコン信号の受信確認のためのブザー装置を設ける必要がなく，従来のブザー音に係わる不具合を解消することができる。
【００１４】
したがって，ブザー音を発することなくリモコン信号の受信を確認できる，リモコン操作型の人体局部洗浄装置を提供することができる。
【００１５】
また，上記本体スイッチパネルには，水温の設定状態を表示する水温表示発光素子を配設してあり，かつ，該水温表示発光素子は，上記受信表示発光素子をも兼ねている。これにより，非常に容易に受信表示発光素子の機能を本体スイッチパネルに付加することができる。即ち，通常，本体スイッチパネルには上記水温表示発光素子が設けられているため，新たな発光素子を追設することなく，ソフト上の改造によって受信表示発光素子機能を容易に付加することができる。
【００１６】
また，請求項２の発明のように，上記受信表示発光素子は，上記リモコン信号を受信した際に所定時間だけ発光状態を反転させるよう構成することができる。即ち，受信表示発光素子がリモコン信号を受信時にオンの状態にあった場合には所定時間だけオフの状態に反転し，一方，リモコン信号受信時にオフの状態にあった場合には所定時間だけオンの状態に反転させるよう構成することができる。この場合には，上記のごとく水温表示発光素子と受信表示発光素子とを兼用する場合において，水温表示発光素子の本来の表示機能を害することなく，受信表示発光素子の機能を発揮することができる。
【００１７】
また，請求項３の発明のように，少なくとも温水洗浄手段を有する本体と，該本体に設けた本体スイッチパネルと，上記本体と別個に設けたリモコンとよりなり，かつ，上記各手段は上記本体スイッチパネル又はリモコンにより操作できるよう構成した人体局部洗浄装置において，上記本体スイッチパネルには，上記リモコンからのリモコン信号を上記本体が受信した際に表示状態を変化させる受信表示発光素子を配設してあり，かつ，上記受信表示発光素子の表示状態の変化パターンは，受信したリモコン信号の種類に応じて変更するよう構成してあることを特徴とする人体局部洗浄装置がある。
例えば，温水洗浄手段を使用するリモコン信号を受信した場合と，温風乾燥手段を作動させるリモコン信号を受信した場合とにおいて，表示状態の変化パターンを変更することもできる。表示状態の変化パターンとしては，例えば，オン→オフ，オン→早いピッチの点滅又は遅いピッチの点滅等，種々のパターンをとることができる。
また，請求項４のように，上記本体スイッチパネルには，水温の設定状態を表示する水温表示発光素子を配設してあり，かつ，該水温表示発光素子は，上記受信表示発光素子をも兼ねていることが好ましい。
また，請求項５のように，上記受信表示発光素子は，上記リモコン信号を受信した際に所定時間だけ発光状態を反転させるよう構成してあることが好ましい。
【００１８】
【発明の実施の形態】
実施形態例
本発明の実施形態例にかかるリモコン操作型の人体局部洗浄装置につき，図１〜図８を用いて説明する。
本例の人体局部洗浄装置１は，図１に示すごとく，少なくとも温水洗浄手段６と温風乾燥手段とを有する本体１０と，本体１０に設けた本体スイッチパネル２と，本体１０と別個に設けたリモコン４とよりなる。
【００１９】
上記各手段は本体スイッチパネル２又はリモコン４により操作できるよう構成してある。
また，図１，図２に示すごとく，本体スイッチパネル２には，リモコン４からのリモコン信号を本体１０が受信した際に表示状態を変化させる受信表示発光素子を配設してある。
以下，これを詳説する。
【００２０】
上記本体１０は，図１に示すごとく，洗浄ノズル６１，６２等よりなる温水洗浄手段６，温風乾燥手段（図示略）を有している。また本体１０は，便座８１，便蓋８２を備え，陶器製便器８３の上方に配置してある。
また，図１，図２に示すごとく，本体１０の側部上面には，上記本体スイッチパネル２を配設してある。
【００２１】
本体スイッチパネル２は，図２に示すごとく，リモコン４からのリモコン信号を受信する受光部４９を有すると共に，各種のスイッチ類２０〜３０を有している。具体的に説明すると，２０は肛門洗浄，ビデ洗浄，温風乾燥等の作動をストップさせるストップボタン，２１は肛門洗浄用操作ボタン，２２はビデ洗浄用操作ボタン，２３は温風を吹き出させるドライボタンである。
【００２２】
また，２４は洗浄の広がりを調整するためのワイド洗浄入／切ボタン，２５は洗浄位置前進ボタン，２６はその後退ボタンである。また，２８は洗浄強さを調整する調整つまみである。また，２７は便座の高さを調整するための便座ボタン，３０はシャワー等の水温を調整する温水ボタンである。
なお，リモコン４には，上記２０〜２６のボタンに相当するスイッチを設けてある。
【００２３】
また，図２に示すごとく，本体スイッチパネル２には，ＬＥＤ（発光ダイオード）よりなる発光素子を複数配設してある。具体的に説明すると，ドライボタン２３の横には，ドライ温風の高低を３段階で表示するための３つのＬＥＤ２３１，２３２，２３３を設けてある。また，便座ボタン２７の横には，便座温度の高低を３段階で表示するための３つのＬＥＤ２７１，２７２，２７３を設けてある。さらに，温水ボタン３の横には，水温表示発光素子としての２つのＬＥＤ３１，３２を設けてある。
このうちＬＥＤ３２は，後述するごとく，受信表示発光素子としての役割も果たすものである。
【００２４】
次に，図３には，人体局部洗浄装置１の主な制御回路５を示す。制御回路５は，人体局部洗浄装置制御部５０を中心として，これに５Ｖ電源回路５１の他，種々の機器類を接続して構成されている。
具体的には，リモコン４からの光信号を受光するリモコン受光モジュール（受光部）４９，温水タンク内の温水の温度を検出する温水センサ５２が接続されている。
【００２５】
また，人体局部洗浄装置制御部５０には，温水タンク内の水を暖める温水ヒータ５３，シャワー等の出・止を制御するウォータバルブ５４，シャワーとチャームの切り替えを行う三方弁５５が，それぞれトライアック５６１〜５６３とトランジスタ５７１〜５７３を介して接続されている。また，水温表示発光素子としてのＬＥＤ３１，３２が接続されている。
【００２６】
そして，本例においては，上記の水温表示発光素子のうちの１つのＬＥＤ３２を受信表示発光素子として適用してある。
この受信表示発光素子３２の機能を説明するため，まず，本来の水温表示発光素子としての機能を図４，図６〜図８を用いて説明する。
【００２７】
人体局部洗浄装置１における温水の温度設定は，３段階の設定が可能になっている。即ち，温水モードとして，「切」モード：加温せず，「低」モード：３８℃設定，「適」モード：４０℃設定，という３つのモードを設けてある。これらのモードは，図２における温水ボタン３を押すことによって順次変更できるよう構成してある。
【００２８】
また，各モードの選択状態は，上記水温表示発光素子としての２つのＬＥＤ３１，３２により表示する。即ち，ＬＥＤ３１は「適」モードに対応しており，これが選択されていればオンとなる（図８ａ）。また，ＬＥＤ３２は「低」モードに対応しており，これが選択されていればオンとなる（図７ａ）。また，「切」モードが選択されている場合には，いずれのＬＥＤ３１，３２もオフとなる（図６ａ）。
【００２９】
これらの水温表示発光素子の基本的な表示状態を温水ヒータの動きとあわせて図４を用いて説明する。
まず，ステップ６１において温水モードを温水ボタン３により選択することにより，各モードごとにそれぞれステップ６２，６３，６４に分かれ，上記のごとく水温表示発光素子を表示させる。次いで，各ステップ６２，６３，６４からそれぞれステップ６５，６６，６７に進み，温水の制御すべき温度の基準値を設定する。
【００３０】
具体的には，ステップ６５の場合には「切」モードであるため，水温状態に，ステップ６６の場合には「低」モードであるため３８℃に，ステップ６７の場合には「適」モードであるため４０℃にそれぞれ設定される。次いで，ステップ６７においては，設定された温度と，温水センサ５２からの実際の温水温度データとを比較する。そして，基準値よりも温水温度が高い場合にはステップ６８において温水ヒータをオフし，低い場合にはステップ６９において温水ヒータをオンする。
【００３１】
次に，上記水温表示発光素子としてのＬＥＤ３２を受信表示発光素子として機能させる場合について，図５〜図８を用いて説明する。
図５には，リモコン４からのリモコン信号を受信した場合の処理をフローチャートとして示してある。
【００３２】
まず。ステップ７０においてリモコン信号を受信した場合には，ステップ７１側のＬＥＤ処理とステップ７６側の負荷動作処理とに分かれて平行して処理が進められる。
まずＬＥＤ処理側においては，ステップ７１においてＬＥＤ３２が点灯（オン）しているか判断する。ＬＥＤ３２が点灯していた場合には，ステップ７２に進み，ＬＥＤ３２を受信表示発光素子として０．５秒間消灯（オフ）する。次いで，ステップ７４に進み，ＬＥＤ３２は水温表示発光素子としての機能を復帰させ，再び点灯する。
【００３３】
一方，上記ステップ７１においてＬＥＤ３２が点灯していなかった場合にはステップ７３に進み，ＬＥＤ３２を受信表示発光素子として０．５秒間点灯させる。次いでステップ７５に進み，ＬＥＤ３２は水温表示発光素子としての機能を復帰させ，再び消灯する。即ち，ＬＥＤ３２はリモコン信号を受けた場合に表示状態を反転させる。
【００３４】
また，負荷動作処理においては，信号の種類に応じてステップ７６，７８，８０に分かれ，それぞれウォータバルブや三方弁の作動を行うステップ７７，７９あるいはその他の処理を行う。
【００３５】
次に，図６〜図８は，上記ステップ７１〜７５までの処理を温水モードと対応させて示したものである。これらの図は，図２における本体スイッチパネル２の水温表示発光素子部分３０のみを抜き出して示したものである。
図６は「切」モードの場合について示してあり，２つのＬＥＤ３１，３２が両方ともオフの状態（ａ）から，リモコン信号受信により受信表示発光素子として兼用されているＬＥＤ３２だけがオンとなり（ｂ），次いで，０．５秒経過後に再び初期状態に戻ってＬＥＤ３２がオフとなった状態（ｃ）を示してある。
【００３６】
また，図７は「低」モードの場合について，図８は「適」モードの場合についてそれぞれ同様に示してある。
図６〜図８より知られるように，リモコン信号を受信した場合の受信表示発光素子としてのＬＥＤ３２の表示状態は，初期状態（ａ）から０．５秒間だけ（ｂ）の状態に変化し，次いで再び初期の状態に戻る（ｃ）。
【００３７】
このように，本例においては，水温表示発光素子としてのＬＥＤ３２を受信表示発光素子としても機能させ，リモコン信号受信時に上記のごとく表示状態を変化させる。そのため，トイレ使用者がリモコン４を用いて人体局部洗浄装置１の各手段を操作しようとする場合には，リモコン信号が確実に本体１０に受信されたことを，受信表示発光素子によって，目視により，瞬時に，確実に確認することができる。
【００３８】
また，本例における受信表示発光素子は，水温表示発光素子としてのＬＥＤ３２を兼用している。この水温表示発光素子は従来の本体スイッチパネル２にも設けてあるものである。そのため，本例においては，上述した制御回路５における人体局部洗浄装置制御部５０をソフト的に改造することにより上記受信表示発光素子を付加している。それ故，非常に簡単にかつ低コストに上記作用効果を得ることができる。
【００３９】
なお，本例においては，上記受信表示発光素子は，リモコン信号を受信した際に所定時間だけ発光状態を反転させるよう構成したが，例えば反転を点滅表示等に変更することも勿論可能である。また，受信したリモコン信号の種類に応じてＬＥＤ３２の表示状態の変化パターンを変更しても良い。
さらに，本例はＬＥＤ３２を受信表示発光素子として兼用する場合を例に挙げたが，新たに独立して１つ又は複数の受信表示発光素子を設けても良いし，他の既設のＬＥＤを適用させても良い。
【００４０】
【発明の効果】
上述のごとく，本発明によれば，ブザー音を発することなくリモコン信号の受信を確認できる，人体局部洗浄装置を提供することができる。
【図面の簡単な説明】
【図１】実施形態例の人体局部洗浄装置の構成を示す説明図。
【図２】実施形態例における，本体スイッチパネルを示す説明図。
【図３】実施形態例における，人体局部洗浄装置の制御回路を示す説明図。
【図４】実施形態例における，温水温度制御のフローチャート。
【図５】実施形態例における，リモコン信号受信処理のフローチャート。
【図６】実施形態例における，温水「切」モード時の受信表示発光素子の表示状態変化を示す説明図。
【図７】実施形態例における，温水「低」モード時の受信表示発光素子の表示状態変化を示す説明図。
【図８】実施形態例における，温水「適」モード時の受信表示発光素子の表示状態変化を示す説明図。
【図９】従来例の人体局部洗浄装置の構成を示す説明図。
【符号の説明】
１．．．人体局部洗浄装置，
１０．．．本体，
２．．．本体スイッチパネル，
３２．．．受信表示発光素子（水温表示発光素子），
４．．．リモコン，
５．．．制御回路，
６．．．温水洗浄手段，
【図１】
0003780651.tif 000002
【図２】
0003780651.tif 000003
【図３】
0003780651.tif 000004
【図４】
0003780651.tif 000005
【図５】
0003780651.tif 000006
【図６】
0003780651.tif 000007
【図７】
0003780651.tif 000008
【図８】
0003780651.tif 000009
【図９】
0003780651.tif 000010